(57)【特許請求の範囲】
【請求項１】
遊技球が流下する遊技領域を有する遊技盤と、前記遊技領域に向けて遊技球を発射する発射装置と、前記遊技領域に設けられた始動入賞口および可動役物装置とを備え、前記始動入賞口に遊技球が入賞したことを契機に行われる電子抽選の結果を前記可動役物装置の可動態様によって遊技者に示唆するようにした弾球遊技機において、
前記可動役物装置が、前記遊技盤に固定されたベース部材と、このベース部材に取り付けられると共に遮光部と光透過部が設けられた意匠部品と、この意匠部品の後方に配置された光源と、前記意匠部品の前方に配置された光透過性材料からなる長尺の板状体と、この板状体の少なくとも前面を覆う外装体と、この外装体を前記板状体の長手方向に沿って往復移動させる駆動機構とを備え、
前記板状体の幅方向の両端部に前記外装体の移動方向に沿って延びるシボ加工を施し、このシボ加工が施された部分を前記外装体の内部に設けたガイド部に摺接させたことを特徴とする弾球遊技機。
【請求項２】
請求項１の記載において、前記外装体の外表面に遮光部と光透過部が設けられており、前記光源の光が前記意匠部品の光透過部と前記板状体および前記外装体の光透過部を透過して外部へ照射されるようにしたことを特徴とする弾球遊技機。
【請求項３】
請求項２の記載において、前記外装体が前記板状体を板厚方向から挟んで対向する光透過性材料からなる前面板と背面板とを備えており、この背面板の裏面に直線状に延びるラックを設けると共に該ラックに歯車を噛合させ、この歯車を前記駆動機構の駆動源であるモータによって正逆両方向へ回転するようにしたことを特徴とする弾球遊技機。
【発明の詳細な説明】
【技術分野】
【０００１】
本発明は、パチンコ店などの遊技場に設置して使用される弾球遊技機に係り、特に、電子抽選の結果を可動体の可動態様によって遊技者に示唆することができる可動役物装置を備えた弾球遊技機に関するものである。
【背景技術】
【０００２】
パチンコ機に代表される弾球遊技機の中には、遊技盤の遊技領域に可変表示装置や始動入賞口やアタッカ装置などを配設し、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置の表示画面に所定の特別図柄の組合せが表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
このようなパチンコ機において、可動態様を変化させることができる可動体を可変表示装置の周囲の任意位置に配置し、電子抽選で当選していることを可動体の可動態様によって遊技者に示唆するようにした可動役物装置が広く採用されており、その一例として、収容部材と被収容部材とで構成される可動体を可変表示装置の上方に配置し、この可動体を可変表示装置の前面に沿って上下動させたり、可変表示装置の前方で被収容部材に対して収容部材を左右方向へスライド移動させるようにした可動役物装置が知られている（例えば、特許文献１参照）。
【０００４】
かかる従来の可動役物装置は、日本刀の柄と刀身を模した長尺板状の被収容部材と、被収容部材の刀身に相当する部分を収容可能な鞘を模した収容部材と、収容部材の一端側に連結された駆動シャフトと、駆動シャフトに固着された駆動ギアと、駆動シャフトと駆動ギアを一体的に回転させるモータと、可変表示装置の左側方に配置されたＬ字状のガイド部材等を備えており、ガイド部材の外側面には駆動ギアに噛合する垂直ラック部と水平ラック部が刻設されている。
【０００５】
通常、収容部材と被収容部材は収納状態で可変表示装置の上方に保持されており、駆動ギアはガイド部材の垂直ラック部の上側に噛合している。この状態でモータを一方向（例えば正転方向）へ回転駆動すると、駆動ギアが垂直ラック部の上端から下端に向かって移動し、それに伴って収容部材と被収容部材が収納状態を維持したまま可変表示装置の前方を下降する。そして、収容部材と被収容部材が可変表示装置の前方の下側位置で停止した後、モータを同じ方向へ回転し続けると、駆動ギアの噛合がガイド部材の垂直ラック部から水平ラック部へ移り、この水平ラック部の左側から右側に向かって移動するため、駆動シャフトに連結された被収容部材が右側へ移動し、それに伴って被収容部材の刀身に相当する部分が露出する。
【先行技術文献】
【特許文献】
【０００６】
【特許文献１】特開２００９−２８０７３号公報
【発明の概要】
【発明が解決しようとする課題】
【０００７】
前述した従来の可動役物装置では、被収容部材の一部を収容部材から露出させることにより、恰も日本刀の鞘から刀身を抜いているという斬新な可動演出を実現できるが、その場合、可変表示装置の前方で単に被収容部材の一部が収容部材から露出するだけであるため、かかる露出動作が遊技者に与えるインパクトは比較的小さいものとなる。
【０００８】
そこで、収容部材と被収容部材の後方にＬＥＤ等の光源を配置し、被収容部材の一部が収容部材から露出したとき、光源の光を被収容部材の露出部分を通して前方へ照射させるようにした可動役物装置が提案されている。このように被収容部材の露出動作と光の照射とを併用すると、単に被収容部材の一部が露出するものに比べて遊技者に与えるインパクトは大きいものとなるが、光源の光が被収容部材の露出部分を通して前方へ照射されるだけであるため、光による視覚演出が単調になってしまい改善の余地があった。
【０００９】
本発明は、このような従来技術の実情に鑑みてなされたもので、その目的は、斬新な可動演出と視覚演出を行うことができる弾球遊技機を提供することにある。
【課題を解決するための手段】
【００１０】
上記の目的を達成するために、本発明は、遊技球が流下する遊技領域を有する遊技盤と、前記遊技領域に向けて遊技球を発射する発射装置と、前記遊技領域に設けられた始動入賞口および可動役物装置とを備え、前記始動入賞口に遊技球が入賞したことを契機に行われる電子抽選の結果を前記可動役物装置の可動態様によって遊技者に示唆するようにした弾球遊技機において、前記可動役物装置が、前記遊技盤に固定されたベース部材と、このベース部材に取り付けられると共に遮光部と光透過部が設けられた意匠部品と、この意匠部品の後方に配置された光源と、前記意匠部品の前方に配置された光透過性材料からなる長尺の板状体と、この板状体の少なくとも前面を覆う外装体と、この外装体を前記板状体の長手方向に沿って往復移動させる駆動機構とを備え、前記板状体の幅方向の両端部に前記外装体の移動方向に沿って延びるシボ加工を施し、このシボ加工が施された部分を前記外装体の内部に設けたガイド部に摺接させるという構成にした。
【００１１】
このように構成された弾球遊技機では、外装体の移動に伴って板状体が露出していくとき、光源の光が意匠部品の遮光部によって象られた文字や図形等の光透過部を透過してから板状体の露出部分を透過して前方へ照射されるため、遊技者は板状体の露出部分を通して奥行き感のある表示を目視することができ、斬新な可動演出と視覚演出を行うことができる。また、板状体の幅方向の両端部に外装体の移動方向に沿って延びるシボ加工を施し、このシボ加工が施された部分を摺動ガイドとして外装体を往復移動するようにしたので、外装体を板状体の長手方向に沿ってガタツキなく安定した状態で往復移動させることができると共に、外装体の繰り返しの往復移動に伴う摺動ガイド部分の傷を目立たなくすることができる。
【００１２】
上記の構成において、外装体の外表面に遮光部と光透過部が設けられており、光源の光が意匠部品の光透過部と板状体および外装体の光透過部を透過して外部へ照射されるようにすると、板状体が露出しないで外装体に覆われている場合も、外装体の遮光部によって象られた文字や図形等の光透過部を光源の光によって照光することができて好ましい。
【００１３】
この場合において、外装体が板状体を板厚方向から挟んで対向する光透過性材料からなる前面板と背面板とを備えており、この背面板の裏面に直線状に延びるラックを設けると共に該ラックに歯車を噛合させ、この歯車を駆動機構の駆動源であるモータによって正逆両方向へ回転するように構成すると、外装体を長ストロークの範囲に亘ってスムーズに移動させることができるだけでなく、意匠部品の光透過部を透過した光源の光が外装体の背面板を透過して前方へ照射されるため、外装体の移動位置に拘わらず光源の光を板状体や外装体の前面板に効率良く照射することができて好ましい。
【発明の効果】
【００１４】
本発明の弾球遊技機は、光透過性材料からなる長尺の板状体が外装体の移動に伴って露出していくとき、光源の光が意匠部品の遮光部によって象られた文字や図形等の光透過部を透過してから板状体の露出部分を透過して前方へ照射されるため、遊技者は板状体の露出部分を通して奥行き感のある表示を目視することができ、斬新な可動演出と視覚演出を行うことができる。また、板状体の幅方向の両端部に外装体の移動方向に沿って延びるシボ加工を施し、このシボ加工が施された部分を摺動ガイドとして外装体を往復移動するようにしたので、外装体を板状体の長手方向に沿ってガタツキなく安定した状態で往復移動させることができると共に、外装体の繰り返しの往復移動に伴う摺動ガイド部分の傷を目立たなくすることができる。
【図面の簡単な説明】
【００１５】
【図１】本発明の実施形態例に係る弾球遊技機の外観斜視図である。
【図２】図１に示す弾球遊技機の背面図である。
【図３】図１の弾球遊技機に備えられる遊技盤ユニットの斜視図である。
【図４】図３に示す遊技盤ユニットの正面図である。
【図５】図３の遊技盤ユニットに配設された可動役物装置の斜視図である。
【図６】図５に示す可動役物装置の分解斜視図である。
【図７】図５に示す可動役物装置の正面図である。
【図８】図５に示す可動役物装置の左側面図である。
【図９】図５に示す可動役物装置の右側面図である。
【図１０】図５に示す可動役物装置の背面図である。
【図１１】図７のＡ−Ａ線に沿う断面図である。
【図１２】図７のＢ−Ｂ線に沿う断面図である。
【図１３】図５の可動役物装置の動作状態を示す斜視図である。
【図１４】図１３に対応する正面図である。
【図１５】図１４のＣ−Ｃ線に沿う断面図である。
【図１６】図１４のＤ−Ｄ線に沿う断面図である。
【発明を実施するための形態】
【００１６】
図１に示すように、本発明の実施形態例に係る弾球遊技機（パチンコ機）は、遊技場の島設備に設置される縦長方形状の機枠１と、機枠１に扉状に開閉自在に取り付けられた本体枠２と、本体枠２の内側に収容された後述する遊技盤ユニット３と、本体枠２の前面に開閉自在に取り付けられたガラス扉４と、ガラス扉４の下側で本体枠２の前面に開閉自在に取り付けられた前面ボード５と、前面ボード５の右下隅部に取り付けられた発射ハンドル６等を具備しており、前面ボード５には遊技球を収容する受皿７が設けられている。ガラス扉４の中央部には透明なガラス板８が取り付けられており、遊技盤ユニット３の前面はこのガラス板８を通して外部から目視可能となっている。また、ガラス扉４の上部にはスピーカ９が左右に１個ずつ取り付けられており、これらスピーカ９から遊技に関する様々な効果音を発するようになっている。
【００１７】
図２に示すように、遊技盤ユニット３は本体枠２の背面側に露出しており、この遊技盤ユニット３には、主制御処理部１０、特別図柄表示制御部１１、普通図柄表示制御部１２、演出制御処理部１３、ランプ制御処理部１４、音声制御処理部１５等が設けられている。その他、本体枠２の背面側には、支払制御処理部１６、発射制御処理部１７、賞球支払装置１８等が設けられており、これらは遊技盤ユニット３を包囲する適宜位置に配置されている。
【００１８】
図３と図４に示すように、遊技盤ユニット３の前面には合板材からなる遊技盤１９が取り付けられており、遊技盤１９の前面（盤面）は遊技領域２０となっている。この遊技領域２０はガイドレール２１等によって略円形状に区画されており、発射ハンドル６が遊技者によって任意角度に回転操作されると、図示せぬ発射装置が受皿７に保留された遊技球を遊技領域２０に向けて連続的に打ち出すようになっている。遊技領域２０の上部中央付近には中央役物ユニット２２が配設されており、この中央役物ユニット２２は、中央部に矩形状の開口２３ａを有する装飾枠２３と、装飾枠２３の右側壁に配設された後述する可動役物装置２４とを具備している。また、中央役物ユニット２２の裏面側には液晶パネル（ＬＣＤ）からなる可変表示装置２５が配設されており、この可変表示装置２５の表示画面は装飾枠２３の開口２３ａから露出している。
【００１９】
装飾枠２３には開口２３ａの下辺に沿って左右方向へ延びるステージ２６が設けられており、このステージ２６の中央部には誘導溝２６ａが形成されている。この誘導溝２６ａの真下位置には上面に入賞孔を有する単純構造の第１始動入賞口２７が配設されており、ステージ２６上を転動して誘導溝２６ａから落下した遊技球が高い確率で第１始動入賞口２７に入賞するようになっている。第１始動入賞口２７の真下には第２始動入賞口２８が近接配置されており、この第２始動入賞口２８は一対の可動片を有する電動チューリップ構造の始動入賞口となっている。そして、これら始動入賞口２７，２８のいずれか一方に遊技球が入賞すると、それを契機として特別図柄に係る電子抽選が行われ、その抽選結果に基づいて可変表示装置２５の表示画面上で演出用図柄の変動表示および停止表示が行われる。また、中央役物ユニット２２の左側の遊技領域２０には通過チャッカー２９が配設されており、遊技球がこの通過チャッカー２９を通過すると、それを契機として普通図柄に係る電子抽選が行われ、その抽選結果が当たりの場合に第２始動入賞口２８の両可動片を一時的に開放して遊技球の入賞を許可するようになっている。
【００２０】
さらに、第２始動入賞口２８の真下位置における遊技領域２０には第１アタッカ装置３０が配設されており、この第１アタッカ装置３０の右斜め上方には第２アタッカ装置３１が配設されている。内部構造については図示省略されているが、第１アタッカ装置３０は、前面を開口した横長形状の大入賞口や、大入賞口に入賞した遊技球を検知するセンサユニットや、大入賞口の開口を開閉するアタッカ扉や、アタッカ扉を駆動するソレノイド等を具備しており、第２アタッカ装置３１も同様に構成されている。これら両アタッカ装置３０，３１は、第１および第２始動入賞口２７，２８のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が第１の大当たり（例えば通常大当たり）の場合、第１アタッカ装置３０のアタッカ扉が複数回繰り返し開放動作してその大入賞口を露呈させ、特別図柄の抽選結果が第２の大当たり（例えば確変大当たり）の場合、第２アタッカ装置３１のアタッカ扉が複数回繰り返し開放動作してその大入賞口を露呈させる。第１アタッカ装置３０のアタッカ扉は１回の開放動作について例えば３０秒経過するまで、あるいは遊技球が大入賞口に例えば１０個入賞するまで開放状態を維持し、この間で１個の入賞に対して例えば１２個を賞球として払い出し、かかる開放動作を例えば１４回繰り返した後に大当たりが終了する。同様に、第２アタッカ装置３１のアタッカ扉は１回の開放動作について例えば３０秒経過するまで、あるいは遊技球が大入賞口に例えば１０個入賞するまで開放状態を維持し、この間で１個の入賞に対して例えば１５個を賞球として払い出し、かかる開放動作を例えば１６回繰り返した後に大当たりが終了する。
【００２１】
その他、遊技領域２０内には、遊技球の払い出しのみを行う複数の一般入賞口３２や、遊技球の流下経路を担う遊技釘と風車（いずれも図示せず）等が配設されており、いずれの始動入賞口２７，２８や一般入賞口３２にも入賞しなかった遊技球は、遊技領域２０の最下端部に設けられたアウト口３３から遊技盤１９の裏面側に排出されるようになっている。
【００２２】
可動役物装置２４は前述した特別図柄に係る電子抽選の結果を役物の可動態様によって遊技者に示唆することができる装置であり、図５〜図１６に示すように、この可動役物装置２４は、中央部に凹所３４ａを有するベース部材３４と、ベース部材３４の裏面に取り付けられた回路基板３５と、この回路基板３５を覆うカバー体３６と、ベース部材３４の凹所３４ａ内に取り付けられた意匠部品３７と、この意匠部品３７の前方に配置された長尺の板状体３８と、この板状体３８の主要部分を収容する外装体３９と、ベース部材３４に取り付けられたモータ４０およびソレノイド４１等によって主に構成されている。
【００２３】
ベース部材３４は有色透明な合成樹脂の成形品であって、遊技盤１９にねじ止め等により固定されるようになっている。このベース部材３４には凹所３４ａを含めて複数の切り欠きが形成されおり、ベース部材３４の右側部に沿って上下方向に延びる起立壁３４ｂには反射シート４２が貼着されている。ベース部材３４の裏面上部には上部サブベース４３がネジ止め固定されており、この上部サブベース４３に前記ソレノイド４１が取り付けられている。上部サブベース４３には駆動アーム４４が回転可能に軸支されており、ソレノイド４１のプランジャー４１ａが中継レバー４５を介して駆動アーム４４に連結されている。一方、ベース部材３４の裏面下部には下部サブベース４６と小基板４８がネジ止め固定されており、この下部サブベース４６に前記モータ４０が横向き姿勢で取り付けられている。このモータ４０の回転軸には歯車４７が固着されており、歯車４７の一部は前記切り欠きを挿通してベース部材３４の前面側へ突出している。また、小基板４８には一対のフォトインタラプタ４９が実装されており、これらフォトインタラプタ４９も別の切り欠きを挿通してベース部材３４の前面側へ突出している。
【００２４】
回路基板３５の前面には光源としての多数のＬＥＤ５０が実装されており、これらＬＥＤ５０から発せられた光はベース部材３４の凹所３４ａの背面と上部サブベース４３の左右両側に位置するベース部材３４の背面とに向けて照射されるようになっている。その際、ベース部材３４の前面を透過したＬＥＤ５０の光の一部が反射シート４２で反射するため、ＬＥＤ５０の光はベース部材３４の前方に向かって効率良く照射される。回路基板３５の裏面には多数のチップ部品と複数のコネクタ５１が実装されており、各コネクタ５１を除いて回路基板３５はベース部材３４の裏面にネジ止め固定されたカバー体３６によって覆われている。図示省略されているが、モータ４０とソレノイド４１および小基板４８はワイヤーハーネスを介して所望のコネクタ５１に接続されており、回路基板３５は別のコネクタ５１に接続されたワイヤーハーネスを介して遊技盤ユニット３の前述した演出制御処理部１３に接続されている。
【００２５】
図６に示すように、意匠部品３７は、基台５１ａから突部５１ｂが突出する段付き形状の意匠本体５１と、突部５１ｂに外嵌された枠体５２とで構成されており、突部５１の背面には光拡散シート５３が貼着されたている。意匠本体５１は例えば２色成形によって形成された遮光部と光透過部を有しており、具体的には、基台５１ａの外周面と突部５１ｂの前面一部を遮光性樹脂で成形して遮光部となし、それ以外を光透過性樹脂で成形して光透過部となしている。枠体５２は遮光性樹脂で成形されたものであり、この枠体５２には後方へ延びる一対のボス５２ａが形成されている。これらボス５２ａは意匠本体５１に形成された貫通孔５１ｃに挿入されており、枠体５２を突部５１に外嵌してボス５２ａをベース部材３４の裏面にネジ止めすることにより、意匠本体５１と枠体５２は一体化された状態でベース部材３４の凹所３４ａ内に固定されている。したがって、回路基板３５に実装されたＬＥＤ５０の光が凹所３４ａの背面に向けて照射されたとき、この光は光拡散シート５３で拡散された後に意匠本体５１の光透過部を通過して前方へ照射されるが、意匠本体５１の遮光部と枠体５２は通過せずに遮断されることになる。
【００２６】
板状体３８は透明度の高い透過性樹脂からなる成形品であり、日本刀の刀身を模した形状に形成されている。板状体３８の上部には日本刀の柄を模した装飾体５４が固定されており、この装飾体５４の下部には日本刀の鍔を模した可動板５５が上下動可能に遊嵌されている。装飾体５４は前部装飾体５６と後部装飾体５７とからなる２つ割り構造であり、これら前部装飾体５６と後部装飾体５７は板状体３８の上部を挟んでネジ止め固定されている。後部装飾体５７の内部には小基板５８が取り付けられており、この小基板５８の前面にはＬＥＤ５９が実装されている。一方、前部装飾体５６の下部にはＬＥＤ５９に対向する小孔５６ａが形成されており、ＬＥＤ５９の光が小孔５６ａを通過して前方へ照射されるようになっている。なお、小基板５８も図示せぬワイヤーハーネスを介して回路基板３５の所望のコネクタ５１に接続されている。
【００２７】
板状体３８の裏面上部には一対のガイドピン３８ａが形成されており、これらガイドピン３８ａは後部装飾体５７に形成された透孔５７ａを挿通して裏面側へ突出している。また、板状体３８の裏面下部にはボス３８ｂが形成されており、これら２つのガイドピン３８ａと１つのボス３８ｂをベース部材３４の裏面にネジ止めすることにより、板状体３８と装飾体５４はベース部材３４の前面側に固定されている。可動板５５には後方に向かってＬ字状に屈曲する係合突起５５ａが形成されており、この係合突起５５ａはベース部材３４の切り欠きを挿通して駆動アーム４４の先端部に係合している。また、可動板５５には一対の長孔５５ｂが形成されており、これら長孔５５ｂは板状体３８の対応するガイドピン３８ａに挿入されている。これにより、ソレノイド４１を駆動源として駆動アーム４４が揺動動作すると、長孔５５ｂがガイドピン３８ａにガイドされながら可動板５５が装飾体５４に沿って上下動し、かかる可動板５５の上下動に伴って小孔５６ａが見え隠れするようになっている。
【００２８】
外装体３９は２つ割り構造の前面板６０と背面板６１をネジ止め固定したものであり、これら前面板６０と背面板６１の間に画成された空間内に板状体３８が配置されている。前面板６０は日本刀の鞘を模した形状に形成されており、この前面板６０は遮光部６０ａと光透過部６０ｂを有している。これら遮光部６０ａと光透過部６０ｂは透過性樹脂の表面に一部を除いて金属メッキ等の遮光性材料を施すことによって形成されているが、それ以外にも透過性樹脂と遮光性樹脂の２色成形等によって形成することも可能である。
【００２９】
背面板６１は透過性樹脂で成形されており、この背面板６１の相対向する左右両内側壁にはガイド部材６２が固定されている。各ガイド部材６２には横断面凹形状のガイド溝６２ａが形成されており、これらガイド溝６２ａに板状体３８の幅方向の両端部が摺動自在に嵌合している。背面板６１の裏面には長手方向へ直線状に延びるラック６１ａが刻設されており、このラック６１ａに歯車４７が噛合している。これにより、モータ４０を駆動源として歯車４７が正逆いずれかの方向へ回転すると、背面板６１に取り付けられた各ガイド部材６２のガイド溝６２ａが板状体３８の側端部に摺動しながら、前面板６０と背面板６１が一体的に板状体３８の長手方向に沿って上下動する。ここで、板状体３８は光沢のあるツルツルの表面を有する無色透明な成形品であるが、その幅方向の両端部にだけ梨地や砂目等のシボ加工が施されており、このシボ加工が施された箇所をガイド溝６２ａとの摺動ガイド部Ｇ（図６参照）としてガイド部材６２が移動するようになっている。なお、これらモータ４０と歯車４７およびラック６１ａにより、外装体３９（前面板６０と背面板６１）を板状体３８の長手方向に沿って往復移動させる駆動機構が構成されている。
【００３０】
背面板６１の中央部にはラック６１ａと平行に延びるガイド孔６１ｂが形成されており、このガイド孔６１ｂに板状体３８のボス３８ｂに外嵌された円筒状のスペーサ６３が係合している。したがって、背面板６１は板状体３８の両側端部の摺動ガイド部Ｇによって上下方向へガイドされているだけでなく、板状体３８の中央部においてもスペーサ６３とガイド孔６１ｂとの係合によって上下方向へガイドされている。ただし、ガイド孔６１ｂの幅寸法をボス３８ｂに比べて十分に大きく設定してそのガイド機能を省略し、背面板６１を板状体３８の左右の摺動ガイド部Ｇだけでガイドすることも可能である。さらに、背面板６１の裏面の上部と下部には遮光板６４がそれぞれ取り付けられており、これら遮光板６４はフォトインタラプタ４９を通る同一線上に配置されている。
【００３１】
このように構成された弾球遊技機において、図４に示すように、通常、可動役物装置２４は非動作状態に維持されており、刀身を模した板状体３８は鞘を模した外装体３９内に収容されている。図５〜図１２はかかる可動役物装置２４の非動作状態を示しており、この場合、歯車４７はラック６１ａの下部領域と噛合しており、外装体３９（前面板６０と背面板６１）は最上位置で停止している。また、可動板５５は装飾体５４の下端部で停止しており、前部装飾体５６の小孔５６ａは可動板５５によって覆われている。
【００３２】
この状態でモータ４０を正逆いずれか一方向へ回転駆動すると、歯車４７の回転運動がラック６１ａで直線運動に変換されることにより、外装体３９が板状体３８の長手方向に沿って下降するため、それに伴って板状体３８が外装体３９の上端から次第に露出していき、可動役物装置２４は図１３〜図１６に示す動作状態となる。このとき、回路基板３５に実装されたＬＥＤ５０を点灯動作すると、ＬＥＤ５０の光が意匠部品３７の遮光部（意匠本体５１の遮光部や枠体５２）によって象られた文字や図形等の光透過部を透過した後、外装体３９から露出する透明な板状体３８を透過して前方へ照射されるため、遊技者は板状体３８を通してその後方に配置された意匠部品３７を目視するという奥行き感のある視覚演出を体感できる。また、外装体３９は、背面板６１に固定したガイド部材６２のガイド溝６２ａが板状体３８の両側端部を摺動ガイド部Ｇとして移動するため、板状体３８にガイドされながらガタツキなく安定した姿勢で下降することができる。しかも、これら摺動ガイド部Ｇには予めシボ加工が施されているため、ガイド溝６２ａと板状体３８の繰り返しの摺動によっても摺動ガイド部Ｇに傷は付きにくくなり、たとえ傷が付いたとしても目立ちにくくなる。そして、上側の遮光板６４がフォトインタラプタ４９の光路を横切る位置まで移動すると、フォトインタラプタ４９の検知信号に基づいてモータ４０の回転が停止し、外装体３９は板状体３８の大部分を露出させた最下位置で停止する。
【００３３】
このようにして外装体３９が最下位置で停止しているとき、ソレノイド４１に通電してプランジャー４１ａが引き込み動作されると、駆動アーム４４が軸部を中心に揺動回転して可動板５５を上方へ移動させるため、図１４に示すように、上方へ移動した可動板５５の下端部から小孔５６ａが露出する。したがって、このときに小基板５８上のＬＥＤ５９を点灯動作すると、ＬＥＤ５９の光が小孔５６ａを通過して前方へ照射されされるため、遊技者は鍔を模した可動板５５の下方から放射される眩しい光を視認することができる。なお、かかる可動板５５の上下動作は、外装体３９が最上位置で停止しているときに行うことも可能である。
【００３４】
また、外装体３９が最下位置にあるときにモータ４０を他方向へ回転駆動すると、ラック６１ａの上部領域と噛合していた歯車４７の回転に伴って外装体３９が上昇するため、板状体３８が外装体３９の内部に次第に収容されていく。そして、下側の遮光板６４がフォトインタラプタ４９の光路を横切る位置まで移動すると、フォトインタラプタ４９の検知信号に基づいてモータ４０の回転が停止し、外装体３９は板状体３８の全てを収容した最上位置で停止する。
【００３５】
なお、外装体３９が最上位置で停止しているとき、すなわち、意匠部品３７の前方に板状体３８を収容した外装体３９が位置しているとき、回路基板３５上のＬＥＤ５０を点灯動作すると、ＬＥＤ５０の光が意匠部品３７の光透過部を透過した後、その前方に位置する背面板６１と板状体３８を透過して前面板６０の裏面に照射され、さらに前面板６０の光透過部６０ｂを透過して前方へ照射されるため、この場合も前面板６０の遮光部によって象られた文字や図形等の光透過部６０ｂをＬＥＤ５０の光によって照光することができる。
【００３６】
以上説明したように、本実施形態例に係る弾球遊技機は、可変表示装置２５の周囲に配設された可動役物装置２４が、ベース部材３４に取り付けられた遮光部と光透過部を有する意匠部品３７と、意匠部品３７の後方に配置されたＬＥＤ５０（光源）と、意匠部品３７の前方に配置された光透過性材料からなる長尺の板状体３８と、板状体３８を収容可能な外装体３９と、外装体３９を板状体３８の長手方向に沿って往復移動させる駆動機構とを備えており、外装体３９の移動に伴って板状体３８が露出していくとき、ＬＥＤ５０の光が意匠部品３７の遮光部によって象られた文字や図形等の光透過部を透過してから板状体３８の露出部分を透過して前方へ照射されるようになっているため、遊技者は板状体３８の露出部分を通して奥行き感のある表示を目視することができ、斬新な可動演出と視覚演出を行うことができる。しかも、板状体３８の幅方向の両端部に外装体３９の移動方向に沿って延びるシボ加工を施し、このシボ加工が施された摺動ガイド部Ｇを外装体３９の内部に設けたガイド部材６２のガイド溝６２ａに摺接させるようになっているため、外装体３９を板状体３８の長手方向に沿ってガタツキなく安定した状態で往復移動させることができると共に、外装体３９の繰り返しの往復移動に伴う摺動ガイド部Ｇの傷を目立たなくすることができる。
【００３７】
また、外装体３９に遮光部６０ａと光透過部６０ｂを設け、ＬＥＤ５０の光が意匠部品３７の光透過部と板状体３８および外装体３９の光透過部６０ｂを透過して外部へ照射されるようになっているため、板状体３８が露出しないで外装体３９に完全に覆われている場合でも、外装体３９に遮光部６０ａによって象られた文字や図形等の光透過部６０ｂをＬＥＤ５０の光によって照光することができる。さらに、板状体３８を板厚方向から挟んで対向する光透過性の前面板６０と背面板６１とによって外装体３９を構成し、この背面板６１の裏面に直線状に延びるラック６１ａを刻設すると共に、駆動機構の駆動源であるモータ４０の回転軸に固着した歯車４７をラック６１ａと噛合させたので、外装体３９を長ストロークの範囲に亘ってスムーズに移動させることができ、しかも、意匠部品３７の光透過部を透過したＬＥＤ５０の光が背面板６１を透過して前方へ照射されるため、外装体９の移動位置に拘わらずＬＥＤ５０の光を板状体３８や前面板６０に効率良く照射することができる。
【００３８】
なお、上記実施形態例では、意匠本体５１と枠体５２の２部材によって意匠部品３７を構成した場合について説明したが、単一部材によって意匠部品３７を構成することも可能である。また、上記実施形態例では、外装体３９に遮光部６０ａと光透過部６０ｂの両方を設けた場合について説明したが、光透過部６０ｂを有しない外装体３９であっても良く、その場合は遮光性樹脂を用いて外装体３９を安価に成形することができる。
【符号の説明】
【００３９】
３  遊技盤ユニット
１９  遊技盤
２０  遊技領域
２２  中央役物ユニット
２４  可動役物装置
２５  可変表示装置
２７  第１始動入賞口
２８  第２始動入賞口
３４  ベース部材
３４ａ  凹所
３５  回路基板
３７  意匠部品
３８  板状体
３８ａ  ガイドピン
３８ｂ  ボス
３９  外装体
４０  モータ
４７  歯車
５０  ＬＥＤ（光源）
５１  意匠本体
５１ａ  基台
５１ｂ  突部
５２  枠体
５３  光拡散シート
５４  装飾体
５５  可動板
６０  前面板
６０ａ  遮光部
６０ｂ  光透過部
６１  背面板
６１ａ  ラック
６１ｂ  ガイド孔
６２  ガイド部材
６２ａ  ガイド溝
６３  スペーサ
Ｇ  摺動ガイド部
【図１】
0005386418.tif 000002
【図２】
0005386418.tif 000003
【図３】
0005386418.tif 000004
【図４】
0005386418.tif 000005
【図５】
0005386418.tif 000006
【図６】
0005386418.tif 000007
【図７】
0005386418.tif 000008
【図８】
0005386418.tif 000009
【図９】
0005386418.tif 000010
【図１０】
0005386418.tif 000011
【図１１】
0005386418.tif 000012
【図１２】
0005386418.tif 000013
【図１３】
0005386418.tif 000014
【図１４】
0005386418.tif 000015
【図１５】
0005386418.tif 000016
【図１６】
0005386418.tif 000017